(57)【要約】【課題】ＡＧＣ手段や半導体内部抵抗を用いずに、簡単な回路構成により、比較的低い周波数の発振信号が得られる電圧制御発振器を提供する。【解決手段】周波数制御電圧とその反転周波数制御電圧が入力され、切替電圧発生部７の出力論理状態に対応して周波数制御電圧または反転周波数制御電圧を選択出力する切替回路５、切替回路５の出力電圧を積分して３角波信号を形成する積分回路６を備え、切替電圧発生部７は、高低２つのレベル窓電圧を発生する基準窓電圧発生回路７（１）、高低２つのレベル窓電圧と３角波信号が供給され、３角波信号レベルが高低２つのレベル窓電圧間のとき第１電圧を、それ以外のとき第２電圧を出力する窓比較回路７（２）、第１電圧の出力時に出力論理状態が変化せず、第２電圧の出力時に出力論理状態が変化する論理回路７（３）からなり、積分回路６から周波数制御電圧に比例した発振周波数の３角波信号が出力される。【選択図】図１
2008028831.tif 000002
【特許請求の範囲】
【請求項１】
周波数制御電圧と前記周波数制御電圧を極性反転した反転周波数制御電圧とが入力され、切替電圧発生部の出力論理状態に対応して前記周波数制御電圧または前記反転周波数制御電圧が選択出力される切替回路と、前記切替回路が出力した周波数制御電圧または反転周波数制御電圧を積分して３角波信号を形成する積分回路とを備え、前記切替電圧発生部は、高レベル窓電圧及び低レベル窓電圧を発生する基準窓電圧発生回路と、前記高レベル窓電圧及び前記低レベル窓電圧と前記３角波信号とが供給され、前記３角波信号レベルが前記高レベル窓電圧と前記低レベル窓電圧との中間レベルにあるとき第１電圧を出力し、前記３角波信号レベルが前記高レベル窓電圧より高レベルにあるかまたは前記低レベル窓電圧より低レベルにあるとき第２電圧を出力する窓比較回路と、前記窓比較回路からの前記第１電圧の出力時に出力論理状態を変化させず、前記窓比較回路からの前記第２電圧の出力時に出力論理状態を変化させる論理回路とからなり、前記積分回路から前記周波数制御電圧に比例した発振周波数を有する３角波信号が出力されることを特徴とする電圧制御発振器。
【請求項２】
周波数制御電圧と前記周波数制御電圧を極性反転した反転周波数制御電圧とが入力され、切替電圧発生部の出力論理状態に対応して前記周波数制御電圧または前記反転周波数制御電圧が選択出力される切替回路と、前記切替回路が出力した周波数制御電圧または反転周波数制御電圧を積分して３角波信号を形成する積分回路とを備え、前記切替電圧発生部は、基準電圧を発生する基準電圧発生回路と、前記３角波信号を両波整流して前記３角波信号の倍周波３角波信号を発生する両波整流回路と、前記基準電圧と前記倍周波３角波信号とが供給され、前記倍周波３角波信号レベルが前記基準電圧以下であるとき第１電圧を出力し、前記倍周波３角波信号レベルが前記基準電圧以上になったとき第２電圧を出力する比較回路と、前記比較回路からの前記第１電圧の出力時に出力論理状態を変化させず、前記比較回路からの前記第２電圧の出力時に出力論理状態を変化させる論理回路とからなり、前記積分回路から前記周波数制御電圧に比例した発振周波数を有する３角波信号が出力されることを特徴とする電圧制御発振器。
【請求項３】
前記周波数制御電圧は、その変動範囲が基準レベルを中心とした正負電圧レベル間である場合、その周波数制御電圧を直接または極性反転して前記切替回路に供給する前に、前記周波数制御電圧に第２基準電圧を加算してその変動範囲を常時正電圧レベルに設定した加算周波数制御電圧を形成し、その加算周波数制御電圧及びその加算周波数制御電圧を極性反転した反転加算周波数制御電圧を前記切替回路に供給することを特徴とする請求項１または２のいずれかに記載の電圧制御発振器。
【請求項４】
前記周波数制御電圧は、その変動状態が正弦波状に変動するものであることを特徴とする請求項３に記載の電圧制御発振器。
【請求項５】
前記積分回路の出力側に３角波−正弦波コンバータを接続し、その３角波−正弦波コンバータによって前記積分回路から出力された３角波信号を正弦波状信号に変換して出力することを特徴とする請求項１乃至４のいずれか一項に記載の電圧制御発振器。
【発明の詳細な説明】
【技術分野】
【０００１】
本発明は、入力する周波数制御電圧によって発振周波数が制御される電圧制御発振器に係り、特に、発振周波数が比較的低い周波数帯域にあって、３角波波形の発振信号を発振するのに適した電圧制御発振器に関する。
【背景技術】
【０００２】
一般に、電圧制御発振器は、マルチチャンネル用送信機における原発振器や、各種受信機における第１局部発振器や、データ伝送用受信機のクロック再生回路等に用いられたり、周波数変調器や周波数変調信号復調器等において位相同期ループ（ＰＬＬ）を構成する１つの構成要素として使用されたり、電圧制御発振器単体で用いられたりしており、種々の分野においてそれぞれその分野に適した利用箇所で広く用いられている。
【０００３】
これらの分野のそれぞれの利用箇所で用いられている電圧制御発振器は、通常、高周波帯域の発振信号を出力するものが多く、発振信号周波数を変化させる場合、周波数制御電圧によって共振回路を構成する可変容量キャパシタまたはトランジスタの接合容量等の容量値を変化させるものが多く用いられていることから、比較的簡単な発振周波数変更手段を用いてその発振周波数を変化させることができる。
【０００４】
しかしながら、かかる電圧制御発振器は、その発振周波数の変化範囲が比較的低い低周波帯である場合、接合容量値の可変範囲が大きい可変容量キャパシタやトランジスタを手に入れることが難しいため、通常、共振回路を構成する発振周波数決定素子として抵抗を含んだ回路が用いられている。そして、発振周波数決定素子となる抵抗としては、半導体素子の内部抵抗が用いられており、周波数制御電圧によってこの半導体素子の内部抵抗を可変することによってその発振周波数を変化させる手段が採用されている。
【特許文献１】使用する特許文献はなし
【発明の開示】
【発明が解決しようとする課題】
【０００５】
一般に、低周波帯域の発振信号を発生する電圧制御発振器は、電圧制御発振器の発振状態を安定化するために、その増幅回路部分に自動利得制御（ＡＧＣ）を行った回路が用いられていて、自動利得制御を行っている分、電圧制御発振器の回路構成が複雑になっている。それに加えて、この電圧制御発振器は、その発振周波数設定素子として用いている半導体素子の内部抵抗が一般的に周波数制御電圧の変化に対して非線形変化を呈するので、半導体素子の内部抵抗を使用する際に、周波数制御電圧の変化と内部抵抗の非線形変化との関係を補充する回路構成にする必要があり、やはり電圧制御発振器の回路構成が複雑になりがちである。
【０００６】
本発明は、このような技術的背景に基いてなされたもので、その目的は、自動利得制御手段や半導体素子の内部抵抗を用いないで、簡単な回路構成により、比較的低い周波数の発振信号を得ることができる電圧制御発振器を提供することにある。
【課題を解決するための手段】
【０００７】
前記目的を達成するために、本発明による電圧制御発振器は、周波数制御電圧と周波数制御電圧を極性反転した反転周波数制御電圧とが入力され、切替電圧発生部の出力論理状態に対応して周波数制御電圧または反転周波数制御電圧が選択出力される切替回路と、切替回路が出力した周波数制御電圧または反転周波数制御電圧を積分して３角波信号を形成する積分回路とを備え、切替電圧発生部は、高レベル窓電圧及び低レベル窓電圧を発生する基準窓電圧発生回路と、高レベル窓電圧及び低レベル窓電圧と３角波信号とが供給され、３角波信号レベルが高レベル窓電圧と低レベル窓電圧との中間レベルにあるとき第１電圧を出力し、３角波信号レベルが高レベル窓電圧より高レベルにあるかまたは低レベル窓電圧より低レベルにあるとき第２電圧を出力する窓比較回路と、窓比較回路からの第１電圧の出力時に出力論理状態を変化させず、窓比較回路からの第２電圧の出力時に出力論理状態を変化させる論理回路とからなり、積分回路から周波数制御電圧に比例した発振周波数を有する３角波信号が出力される第１の構成手段を具備する。
【０００８】
また、前記目的を達成するために、本発明による電圧制御発振器は、周波数制御電圧と周波数制御電圧を極性反転した反転周波数制御電圧とが入力され、切替電圧発生部の出力論理状態に対応して周波数制御電圧または反転周波数制御電圧が選択出力される切替回路と、切替回路が出力した周波数制御電圧または反転周波数制御電圧を積分して３角波信号を形成する積分回路とを備え、切替電圧発生部は、基準電圧を発生する基準電圧発生回路と、３角波信号を両波整流して３角波信号の倍周波３角波信号を発生する両波整流回路と、基準電圧と倍周波３角波信号とが供給され、倍周波３角波信号レベルが基準電圧以下であるとき第１電圧を出力し、倍周波３角波信号レベルが基準電圧以上になったとき第２電圧を出力する比較回路と、比較回路からの第１電圧の出力時に出力論理状態を変化させず、比較回路からの第２電圧の出力時に出力論理状態を変化させる論理回路とからなり、積分回路から周波数制御電圧に比例した発振周波数を有する３角波信号が出力される第２の構成手段を具備する。
【０００９】
この場合、前記第１及び第２の構成手段において、周波数制御電圧は、その変動範囲が基準レベルを中心とした正負電圧レベル間である場合、その周波数制御電圧を直接または極性反転して切替回路に供給する前に、周波数制御電圧に第２基準電圧を加算してその変動範囲を常時正電圧レベルに設定した加算周波数制御電圧を形成し、その加算周波数制御電圧及びその加算周波数制御電圧を極性反転した反転加算周波数制御電圧を切替回路に供給する付加的構成手段を具備する。
【００１０】
ここで、本発明による電圧制御発振器の動作原理を、図３に図示した３角波信号波形図を用いて説明すると次のとおりである。
【００１１】
図３の実線波形で示すように、積分回路に一定電圧値Ａボルトの周波数制御電圧を供給したとき、その積分値がある電圧Ｂボルトに到達するのに必要な時間Ｔ秒は供給される周波数制御電圧の電圧値Ａボルトが大きいほど速くなり、時間Ｔと電圧値Ａとは逆比例関係ある。すなわち、積分回路の初期積分値を０ボルトとし、この積分回路に＋Ａボルトを供給したとき、時間Ｔ秒を経た後に＋Ｂボルトになったとすれば、積分値が＋Ｂボルトに到達すると、直ちに周波数制御電圧の極性を反転して＋Ａボルトから−Ａボルトに切替える。この切替が行われると、積分値は＋Ｂボルトから時間２Ｔ秒を経た後に−Ｂボルトになり、積分値が−Ｂボルトに到達すると、直ちに周波数制御電圧の極性を反転して−Ａボルトから＋Ａボルトに切替える。この切替が行われると、積分値は−Ｂボルトから時間Ｔ秒を経た後０ボルトを通過して＋Ｂボルトに向かって上昇し、、さらに時間Ｔ秒を経た後で＋Ｂボルトに到達する。この後、前の動作と同じ動作が繰り返し実行され、積分回路の出力には、実線波形に示すような１周期４Ｔ秒の３角波信号が得られ、その発振周波数は１／４Ｔヘルツである。
【００１２】
また、この電圧制御発振器に供給される周波数制御電圧をそれまでのＡボルトからその倍の２Ａボルトに変更すると、今度は、積分回路に＋２Ａボルトまたは−２Ａボルトの電圧が供給され、図３の点線波形で示すように、時間に対する積分値増化の度合い（傾斜）がそれまでの傾斜の２倍になるので、積分回路から出力される３角波信号の１周期はそれまでの周期の半分の２Ｔ秒になり、その発振周波数は２倍の１／２Ｔヘルツになる。このように、電圧制御発振器に供給される周波数制御電圧の大きさを変更すれば、電圧制御発振器の発振信号周波数がその周波数制御電圧の大きさの変更度合い比例して変化する。
【発明の効果】
【００１３】
以上説明したように、本発明の電圧制御発振器によれば、切替電圧発生部から供給される２値電圧に対応して周波数制御電圧を出力するか反転周波数制御電圧を出力するかに切替られる切替回路と、切替回路から出力される周波数制御電圧または反転周波数制御電圧を積分する積分回路とによって電圧制御発振器を構成しているので、自動利得制御手段や半導体素子の内部抵抗を用いることなしに、簡単な回路構成を有し、比較的低い周波数の発振信号を発生させることができるという効果がある。
【発明を実施するための最良の形態】
【００１４】
以下、本発明の実施の形態を図面を参照して説明する。
【００１５】
図１は、本発明による電圧制御発振器の第１の実施の形態に係るもので、その要部構成を示すブロック図である。
【００１６】
図１に示すように、この第１の実施の形態に係る電圧制御発振器は、周波数制御電圧入力端子１と、加算回路２と、基準電圧発生回路３と、極性反転回路４と、切替回路５と、積分回路６と、切替電圧発生部７と、発振信号出力端子８とからなっている。この場合、切替電圧発生部７は、基準窓電圧発生回路７（１）と、窓比較回路７（２）と、フリップフロップ回路７（３）とを備えている。
【００１７】
そして、加算回路２は、第１入力端が周波数制御電圧入力端子１に接続され、第２入力端が基準電圧発生回路３の出力端に接続され、出力端が極性反転回路４の入力端及び切替回路５の第１入力端に接続される。極性反転回路４は、出力端が切替回路５の第２入力端に接続される。切替回路５は、出力端が積分回路６の入力端に接続され、制御端が切替電圧発生部７の出力端を通してフリップフロップ回路７（３）の出力端に接続される。積分回路６は、出力端が発振信号出力端子８と切替電圧発生部７の制御端を通して窓比較回路７（２）の第３入力端に接続される。また、切替電圧発生部７において、窓比較回路７（２）は、第１入力端が基準窓電圧発生回路７（１）の高レベル窓電圧出力端に接続され、第２入力端が基準窓電圧発生回路７（１）の低レベル窓電圧出力端に接続され、出力端がフリップフロップ回路７（３）の入力端に接続される。
【００１８】
前記構成による電圧制御発振器は、次のように動作する。
【００１９】
いま、周波数制御電圧入力端子１に発振周波数を設定する周波数制御電圧が供給されると、その周波数制御電圧は、加算回路２において基準電圧発生回路３から供給される基準電圧と加算されて加算周波数制御電圧になり、この加算周波数制御電圧が直接切替回路５の第１入力端に供給されるとともに、極性反転回路４で極性反転された後、反転加算周波数制御電圧として切替回路５の第２入力端に供給される。この場合、周波数制御電圧に基準電圧を加算している理由は、周波数制御電圧の変動範囲が正電圧と負電圧にまたがっているとき、周波数制御電圧に基準電圧を加算し、加算周波数制御電圧の変動範囲が正電圧範囲内になるようにするためで、例えば周波数制御電圧が正弦波状電圧であって、発振信号にその正弦波状電圧に従った周波数変調を施す場合、この基準電圧は周波数変調信号における中心周波数を決めるものである。このときには、基準電圧＞正弦波状電圧の関係があり、基準電圧の電圧値をＥとし、正弦波状電圧をａ  ｓｉｎωｔとすれば、Ｅ＋ａ  ｓｉｎωｔの各瞬時値が常時正電圧になるようにその電圧値Ｅを選んでいるものである。
【００２０】
これに対して、発振周波数を設定する周波数制御電圧がどのような変化状態のときでも負電圧にならないときには、加算回路２及び基準電圧発生回路３は不要であって、周波数制御電圧が直接切替回路５の第１入力端と、極性反転回路４の入力端にそれぞれ供給される。
【００２１】
切替回路５は、切替電圧発生部７の出力論理状態に対応して切替られるもので、切替電圧発生部７が一つの出力論理状態になったとき、第１入力端に供給された周波数制御電圧を次続の積分回路６に供給する状態または第２入力端に供給された反転周波数制御電圧を次続の積分回路６に供給する状態がそのまま維持されるが、切替電圧発生部７が他の出力論理状態になったとき、第１入力端に供給された周波数制御電圧を積分回路６に供給する状態から第２入力端に供給された反転周波数制御電圧を積分回路６に供給する状態に変更させるか、第２入力端に供給された反転周波数制御電圧を積分回路６に供給する状態から第１入力端に供給された周波数制御電圧を積分回路６に供給する状態に変更させる。
【００２２】
このとき、積分回路６は、図３に図示されるように、Ａボルトの周波数制御電圧が供給されたとき、周波数制御電圧を積分してその積分値を直線的に順次増大させ、その積分値が＋Ｂボルトに到達すると、２値電圧の電圧値が切替られて−Ａボルトの反転周波数制御電圧が供給され、その反転周波数制御電圧を積分してその積分値を直線的に順次減少させ、その積分値が−Ｂボルトに到達すると、２値電圧の電圧値が再び切替られて＋Ａボルトの周波数制御電圧が供給され、その周波数制御電圧を積分してその積分値を直線的に順次増大させる動作が繰り返し実行され、その結果、積分回路６からは＋Ｂボルトと−Ｂボルトとの間を往復する３角波信号が出力され、その３角波信号が発振信号出力端子８に供給される。
【００２３】
次に、切替電圧発生部７においてその出力論理状態を変化させる手段について述べる。
【００２４】
基準窓電圧発生回路７（１）は、＋Ｂボルトの高レベル窓電圧及び−Ｂボルトの低レベル窓電圧をそれぞれ発生し、それらの窓電圧が窓比較回路７（２）に供給される。窓比較回路７（２）は、＋Ｂボルトの高レベル窓電圧及び−Ｂボルトの低レベル窓電圧と、発振信号出力端子８に供給される３角波信号とが供給され、３角波信号レベルと、＋Ｂボルトの高レベル窓電圧及び−Ｂボルトの低レベル窓電圧とを比較する。窓比較回路７（２）は、このレベル比較によって、３角波信号レベルが＋Ｂボルトの高レベル窓電圧と−Ｂボルトの低レベル窓電圧との間にあったとき、低レベル電圧値を出力し、一方、３角波信号レベルが＋Ｂボルトの高レベル窓電圧より高いかまたは−Ｂボルトの低レベル窓電圧より低いとき、高レベル電圧値を出力する。フリップフロップ回路７（３）は、窓比較回路７（２）から低レベル電圧値が供給されている期間、フリップフロップ回路７（３）の出力論理状態が変化しないので、切替回路５の選択出力が切替えられず、一方、フリップフロップ回路７（３）から高レベル電圧が供給されると、フリップフロップ回路７（３）の出力論理状態が変化して、切替回路５の選択出力が切替えられる。
【００２５】
そして、切替回路５の選択出力が切替えられると、その時点まで積分回路６に供給されていた周波数制御電圧（または反転周波数制御電圧）の極性が反転するので、積分値はその極性反転時から逆極性の方向へ変化することになる。すなわち、出力発振信号を切替電圧発生部７に帰還し、切替電圧発生部７においてそのピーク電圧を監視し、出力発振信号が設定された高ピーク電圧値または低ピーク電圧値を超えると、積分回路６に供給される周波数制御電圧（または反転周波数制御電圧）の極性を反転することによって、発振信号レベルを、その高（低）ピーク電圧値から低（高）ピーク電圧値になるように引き戻すようにしている。
【００２６】
この場合、積分回路６は、オペアンプを利用したものにすれば、ほぼ理想的な積分特性を持ったものが得られるが、抵抗とキャパシタだけによって構成した簡単なローパスフィルタ型積分回路であっても、積分値の充放電を指数関数曲線の直線に近い部分のみを使うようにして行えば、電圧−周波数変換時の信号歪成分をかなり小さくすることができる。
【００２７】
また、この電圧制御発振器により形成された３角波信号は、そのまま出力するようにしても構わないが、この発振信号の使用目的に対応して、積分回路６の出力端と発振信号出力端子８との間に、周知の構成の３角波−矩形波変換回路を接続するかまたは周知の構成の３角波−正弦波変換回路等の波形変換回路を接続すれば、発振信号波形を矩形波信号波形または正弦波信号波形として取り出すことができる。
【００２８】
また、前記説明においては、積分回路６に供給される周波数制御電圧が一定の電圧直流電圧であるとして説明したが、周波数制御電圧が一定の電圧直流電圧である必要はなく、時間的に電圧値が変動する周波数制御電圧であっても、同じような動作をさせることができ、特に、周波数制御電圧として正弦波状に変化するものを用いれば、発振出力される３角波信号として周波数変調された３角波信号を出力させることができる。
【００２９】
次に、図２は、本発明による電圧制御発振器の第２の実施の形態に係るもので、その要部構成を示すブロック図である。
【００３０】
図２に示すように、この第２の実施の形態に係る電圧制御発振器は、周波数制御電圧入力端子１と、加算回路２と、基準電圧発生回路３と、極性反転回路４と、切替回路５と、積分回路６と、発振信号出力端子８と、切替電圧発生部９とからなっている点は、前述の第１の実施の形態に係る電圧制御発振器と同じである。ただしこの第２の実施の形態に係る切替電圧発生部９は、その内部構成が異なっていて、比較電圧発生回路９（１）と、両波整流回路９（２）と、比較回路９（３）と、フリップフロップ回路９（４）とを備えている。そして、両波整流回路９（２）は、入力端が発振信号出力端子８に接続され、出力端が比較回路９（３）の第１入力端に接続される。比較回路９（３）は、第２入力端が比較電圧発生回路９（１）の出力端に接続され、出力端がフリップフロップ回路９（４）の入力端に接続される。フリップフロップ回路９（４）は、出力端が切替回路５の制御端に接続される。
【００３１】
この場合における切替電圧発生部９においてその出力論理状態を変化させる手段について述べる。
【００３２】
両波整流回路９（２）は、出力発振信号を両波整流し、＋Ｂボルトと−Ｂボルト間を変位する３角波信号を＋Ｂボルトと０ボルトとの間を変位し、２倍の周波数の３角波信号に変換し、その３角波信号を比較回路９（２）に供給する。基準電圧発生回路９（１）は、＋Ｂボルトの比較電圧を発生し、この比較電圧を同じく比較回路９（２）に供給する。比較回路７（２）は、３角波信号と比較電圧とのレベル比較を行い、３角波信号レベルが＋Ｂボルトに到達しないとき、低レベル電圧値を出力し、一方、３角波信号レベルが＋Ｂボルトに到達すると、高レベル電圧値を出力する。フリップフロップ回路９（３）は、比較回路９（２）から低レベル電圧値が供給されている期間、フリップフロップ回路７（３）の出力論理状態が変化しないので、切替回路５の選択出力が切替えられず、一方、フリップフロップ回路７（３）から高レベル電圧が供給されると、フリップフロップ回路７（３）の出力論理状態が変化して、切替回路５の選択出力が切替えられる。
【００３３】
そして、切替回路５の選択出力が切替えられると、その時点まで積分回路６に供給されていた周波数制御電圧（または反転周波数制御電圧）の極性が反転するので、積分値はその極性反転時から逆極性の方向へ変化する。すなわち、出力発振信号を切替電圧発生部９に帰還したとき、切替電圧発生部９において出力発振信号のピーク電圧値を監視し、出力発振信号が設定された高ピーク電圧値に達すると、積分回路６に供給される周波数制御電圧（または反転周波数制御電圧）の極性を反転することにより、所要の発振信号が得られるものである。
【００３４】
この第２の実施の形態による切替電圧発生部９は、両波整流回路９（２）によって出力発振信号である３角波信号を両波整流し、それにより元の３角波信号周波数の２倍の倍周波３角波信号を得ているので、一つの基準電圧を発生する基準電圧発生回路９（１）と、倍周波３角波信号レベルと基準電圧レベルとを比較する比較回路９（２）とを用いれば足り、第１の実施の形態による切替電圧発生部７に比べ、切替電圧発生部９の構成を簡素化することができる。
【００３５】
また、この第２の実施の形態においても、発振周波数を設定する周波数制御電圧がどのような変化状態のときでも負電圧にならないときには、加算回路２及び基準電圧発生回路３は不要であって、周波数制御電圧が直接切替回路５の第１入力端と、極性反転回路４の入力端にそれぞれ供給される。
【００３６】
また、第２の実施の形態における電圧制御発振器で形成された３角波信号は、そのまま出力するようにしても構わないが、第１の実施の形態と同様に、この発振信号の使用目的に対応して、積分回路６の出力端と発振信号出力端子８との間に、周知の構成の３角波−矩形波変換回路を接続するかまたは周知の構成の３角波−正弦波変換回路等の波形変換回路を接続すれば、発振信号波形を矩形波信号波形または正弦波信号波形として取り出すことができる。
【００３７】
さらに、この第２の実施の形態においても、積分回路６に供給される周波数制御電圧が一定の電圧直流電圧であるとして説明したが、周波数制御電圧が一定の電圧直流電圧である必要はなく、時間的に電圧値が変動する周波数制御電圧であっても、同じような動作をさせることができ、特に、周波数制御電圧として正弦波状に変化するものを用いれば、発振出力される３角波信号として周波数変調された３角波信号を出力させることができる。
【図面の簡単な説明】
【００３８】
【図１】本発明による電圧制御発振器の第１の実施の形態に係るもので、その要部構成を示すブロック図である。
【図２】本発明による電圧制御発振器の第２の実施の形態に係るもので、その要部構成を示すブロック図である。
【図３】本発明による電圧制御発振器の動作原理を説明する発振出力信号波形図である。
【符号の説明】
【００３９】
１  周波数制御電圧入力端子
２  加算回路
３  基準電圧発生回路
４  極性反転回路
５  切替回路
６  積分回路
７  切替電圧発生部
７（１）基準窓電圧発生回路
７（２）  窓比較回路
７（３）  フリップフロップ回路
８  発振信号出力端子
９  切替電圧発生部
９（１）  比較電圧発生回路
９（２）  両波整流回路
９（３）  比較回路
９（４）  フリップフロップ回路
【図１】
2008028831.tif 000003
【図２】
2008028831.tif 000004
【図３】
2008028831.tif 000005